(57)【要約】【課題】電力消費を低減することができるルータ内蔵録画再生装置を提供する。【解決手段】本発明は、映像データの録画再生処理を行なう第１のユニット２１と、端末との通信を行なう第２のユニット４１と、前記第１のユニットに供給される電源及び前記第２のユニットへ供給される電源を独立して制御する制御手段３１とを具備するルータ内蔵録画再生装置である。【選択図】　図２
2004064209.tif 000002
【特許請求の範囲】
【請求項１】
映像データの録画再生処理を行なう第１のユニットと、
端末との通信を行なう第２のユニットと、
前記第１のユニットに供給される電源及び前記第２のユニットへ供給される電源を独立して制御する制御手段と
を具備することを特徴とする録画再生装置。
【請求項２】
前記制御手段は、前記第１のユニットを使用していない場合には、前記第２のユニットのみへ電源を供給することを特徴とする請求項１記載の録画再生装置。
【請求項３】
前記制御手段は、
前記端末からの前記第１のユニットを使用することを示すコマンドを受信した場合に、前記第１のユニットへ電源を供給し、前記第１のユニットの使用を止めることを示すコマンドを受信した場合に、前記第１のユニットへ供給される電源を遮断することを特徴とする請求項１記載の録画再生装置。
【請求項４】
映像データの録画再生処理を行なう第１のユニットと、端末との通信を行なう第２のユニットとを具備する録画再生装置における電源制御方法において、
前記端末からの前記第１のユニットを使用することを示す第１のコマンドを受信したか否かを判断し、
前記第１のコマンドを受信したと判断された場合に、前記第１のユニットへ電源を供給し、
前記第１のユニットの使用を止めることを示す第２のコマンドを受信したか否かを判断し、
前記第２のコマンドを受信したと判断された場合に、前記第１のユニットへ供給される電源を遮断することを特徴とする電源制御方法。
【請求項５】
前記第２のユニットの使用を止めることを示す第３のコマンドを受信したか否かを判断し、
前記第３のコマンドを受信したと判断された場合に、前記第３のユニットへ供給される電源を遮断するステップをさらに具備することを特徴とする請求項４記載の電源制御方法。
【発明の詳細な説明】
【０００１】
【発明の属する技術分野】
本発明は、録画再生装置に関し、特に、ルータ機能を内蔵した録画再生装置に関する。
【０００２】
【従来の技術】
近年、録画再生装置と情報処理装置（例えば、パーソナルコンピュータ、ＰＤＡ及び携帯電話）とをネットワークで接続し、録画再生装置においてＴＶ画像、ビデオ画像などのディジタルメディアデータをストレージデバイス（ＨＤＤ、光ディスクなど）に記録しながら、当該マルチメディアデータを情報処理装置に送信し、この送信されたマルチメディアデータを情報処理装置において再生する録画再生システムが開発されている。また、このような録画再生装置は、ネットワークデータのルーティング処理を行なうルータを内蔵している。
【０００３】
そして、ルータ内蔵録画再生装置は、電源を録画再生部及びルータ部の双方に供給している。
【０００４】
【発明が解決しようとする課題】
上述のように、従来のルータ内蔵録画再生装置は、電源を映像データの録画再生を行なう録画再生部及びルーティング処理を行なうルータ部の双方に供給しているため、録画再生部を使用していない場合には、無駄な電力を消費してしまうという問題があった。
【０００５】
本発明は、上記実情に鑑みてなされたものであり、電力消費を低減することができる録画再生装置を提供することを目的とする。
【０００６】
【課題を解決するための手段】
したがって、上記目的を達成するために、本発明の第１の発明は、映像データの録画再生処理を行なう第１のユニットと、端末との通信を行なう第２のユニットと、前記第１のユニットに供給される電源及び前記第２のユニットへ供給される電源を独立して制御する制御手段とを具備することを特徴とする録画再生装置、である。
【０００７】
また、本発明の第２の発明は、映像データの録画再生処理を行なう第１のユニットと、端末との通信を行なう第２のユニットとを具備する録画再生装置における電源制御方法において、前記端末からの前記第１のユニットを使用することを示す第１のコマンドを受信したか否かを判断し、前記第１のコマンドを受信したと判断された場合に、前記第１のユニットへ電源を供給し、前記第１のユニットの使用を止めることを示す第２のコマンドを受信したか否かを判断し、前記第２のコマンドを受信したと判断された場合に、前記第１のユニットへ供給される電源を遮断することを特徴とする電源制御方法、である。
【０００８】
【発明の実施の形態】
以下、図面を参照して、本発明の実施の形態に係るルータ内蔵録画再生装置について説明する。
【０００９】
図１は、本発明の一実施形態に係るルータ内蔵録画再生装置を用いたホームネットワークシステムを示す図である。
【００１０】
このホームネットワークシステムは、ルータ内蔵録画再生装置であるワイヤレスＡＶ（オーディオ・ビデオ）ステーション１０１、ＴＶ受像機１０２、およびノートブックタイプのパーソナルコンピュータ１０３，１０４、デスクトップタイプのパーソナルコンピュータ１０５、などの各種情報処理端末、等から構成されている。ワイヤレスＡＶステーション１０１はホームネットワークサーバ装置として機能するルータ内蔵録画再生装置であり、家庭内のパーソナルコンピュータ１０３〜１０５などの各情報処理端末に対して、ＴＶ放送による放送番組データの視聴、およびインターネット閲覧等に関するサービスを、無線で提供する。
【００１１】
ワイヤレスＡＶステーション１０１は、例えばＩＳＤＮ、ＡＤＳＬ、ＣＡＴＶなどの通信回線１３を介して、インターネット１２などの外部のグローバルネットワーク（外部ネットワーク）に接続されている。さらに、ワイヤレスＡＶステーション１０１は、ホームネットワークを構成する有線または無線のネットワークを介して、家庭内の各種情報処理端末に接続されている。ノートブックタイプのパーソナルコンピュータ１０３，１０４には無線通信デバイスが設けられており、これらノートブックタイプのパーソナルコンピュータ１０３，１０４の各々とワイヤレスＡＶステーション１０１は無線接続されている。またデスクトップタイプのパーソナルコンピュータ１０５は有線ＬＡＮを介してワイヤレスＡＶステーション１０１に接続されている。
【００１２】
ワイヤレスＡＶステーション１０１は、パーソナルコンピュータ１０３〜１０５それぞれをインターネット１２に接続し、インターネット１２上のＷＥＢサイトとパーソナルコンピュータ１０３〜１０５それぞれとの間のデータの送受信を行う。
【００１３】
屋外に設置されたＴＶ放送受信アンテナ１１に接続されたアンテナケーブルは屋内に引き込まれており、そのアンテナケーブルにはＴＶ受像機１０２とワイヤレスＡＶステーション１０１とが接続されている。ＴＶ放送番組データはＴＶ受像機１０２で再生できる他、ワイヤレスＡＶステーション１０１でも受信することが出来る。ワイヤレスＡＶステーション１０１は、受信したＴＶ放送番組データを、無線ＬＡＮを介してノートブックタイプのパーソナルコンピュータ１０３，１０４に無線で送信したり、また有線ＬＡＮを介してデスクトップタイプのパーソナルコンピュータ１０５に送信することが出来る。
【００１４】
すなわち、ワイヤレスＡＶステーション１０１によって提供される主な機能は次の通りである。
【００１５】
・無線ルータ機能：
これは、無線ＬＡＮを介して通信可能な各情報処理端末をワイヤレスでインターネット１２に接続し、インターネット１２上のＷＥＢサイトと各情報処理端末との間のデータの送受信を行う機能である。無線ＬＡＮを介してワイヤレスＡＶステーション１０１と接続されたノートブックタイプのパーソナルコンピュータ１０３，１０４を用いることにより、家庭内のどこからでもワイヤレスでインターネット閲覧を行うことができる。
【００１６】
・ＴＶ機能：
これは、無線ＬＡＮまたは有線ＬＡＮを介してワイヤレスＡＶステーション１０１に接続された各情報処理端末に対して、ワイヤレスＡＶステーション１０１で受信したＴＶ放送番組データを送信する機能である。ノートブックタイプのパーソナルコンピュータ１０３，１０４を用いることにより、家庭内のどこからでも現在放送中のＴＶ放送番組をワイヤレスで視聴することができる。
【００１７】
・ＴＶ録画機能：
ワイヤレスＡＶステーション１０１には磁気ディスクドライブ装置（ハードディスクドライブ；ＨＤＤ）が内蔵されており、例えば、ＴＶ放送番組をワイヤレスで視聴しながら、そのＴＶ放送番組を磁気ディスクドライブ装置に記録することができる。また、磁気ディスクドライブ装置に記録されたＴＶ放送番組データを情報処理端末に送信しながら、現在放送中の別のＴＶ放送番組データを受信して磁気ディスクドライブ装置に記録することもできる。さらに、磁気ディスクドライブ装置に記録されたＴＶ放送番組データをＴＶ受像機１０２に出力することにより、大画面で視聴することも出来る。
【００１８】
・遠隔操作機能：
ワイヤレスＡＶステーション１０１のＴＶ機能・ＴＶ録画機能等は、パーソナルコンピュータ１０３〜１０５のそれぞれから遠隔制御することが出来る。またワイヤレスＡＶステーション１０１を操作するための専用のリモコンユニットを用いて、ワイヤレスＡＶステーション１０１のＴＶ機能・ＴＶ録画機能等を制御することも出来る。
【００１９】
次に、図２を参照して、ワイヤレスＡＶステーション１０１の構成を説明する。
【００２０】
図２に示されているように、ワイヤレスＡＶステーション１０１は、大別して、チューナ／ＭＰＥＧ部２１、ＣＰＵ部３１、および通信部４１の３つコンポーネントから構成されている。これらチューナ／ＭＰＥＧ部２１、ＣＰＵ部３１、および通信部４１は、ＰＣＩバスなどのバス２０にそれぞれ接続されている。さらに、バス２０には、磁気ディスクドライブ装置（ハードディスクドライブ；ＨＤＤ）５１も接続されている。
【００２１】
チューナ／ＭＰＥＧ部２１は、ＴＶ放送番組データの受信処理、およびその受信したＴＶ放送番組データを圧縮符号化するエンコード処理、さらには圧縮符号化されたＴＶ放送番組データを復号するデコード処理などを実行する。このチューナ／ＭＰＥＧ部２１には、図示のように、ＴＶチューナ２１１、ＮＴＳＣデコーダ２１２、音声多重デコーダ２１３、オーディオＡ／Ｄコンバータ（オーディオＡＤＣ）２１４、ＭＰＥＧ２エンコーダ２１５、ＲＡＭ２１６、ＰＣＩバスインターフェース（ＰＣＩ−ＩＦ）２１７、ＭＰＥＧ２デコーダ２１８、ＲＡＭ２１９、オーディオＤ／Ａコンバータ（オーディオＤＡＣ）２２０などが設けられている。
【００２２】
ＴＶチューナ２１１はＴＶアンテナコネクタ３０１を介してＴＶアンテナケーブルに接続されている。ＴＶチューナ２１１は、パーソナルコンピュータ１０３〜１０５またはリモコンユニットから視聴要求されたチャネルのＴＶ放送番組データを受信するためのものであり、視聴要求に基づいて、ＴＶ放送信号の受信及びチャネル選択を行う。ＴＶチューナ２１１によって受信された、あるチャネルのＴＶ放送番組データはＮＴＳＣデコーダ２１２に送られ、そこでビデオ信号（動画像）とオーディオ信号とに分離され、さらに必要に応じてデジタルデータへの変換処理が施される。
【００２３】
ＮＴＳＣデコーダ２１２はビデオ入力端子３０２にも接続されており、例えばＤＶＤプレイヤやＶＣＲなどの、外部のビデオ機器からビデオ信号を入力することも出来る。ＴＶ放送番組データに重畳されている音声多重信号は音声多重デコーダ２１３で復調された後、オーディオＡ／Ｄコンバータ（オーディオＡＤＣ）２１４に送られ、そこでデジタルデータに変換される。オーディオＡ／Ｄコンバータ（オーディオＡＤＣ）２１４はオーディオ入力端子３０３にも接続されており、外部のビデオ・オーディオ機器からオーディオ信号を入力することも出来る。
【００２４】
ＭＰＥＧ２エンコーダ２１５は、入力されたビデオおよびオーディオデータをそれぞれ圧縮符号化する。この圧縮符号化にはＭＰＥＧ２が用いられている。ＲＡＭ２１６は、ＭＰＥＧ２エンコーダ２１５が圧縮符号化処理を行うための作業メモリとして用いられる。ＴＶチューナ２１１によって受信されたＴＶ放送番組データはＭＰＥＧ２エンコーダ２１５によって圧縮符号化されて、ＭＰＥＧ２ストリームに変換される。
【００２５】
ＰＣＩバスインターフェース（ＰＣＩ−ＩＦ）２１７はチューナ／ＭＰＥＧ部２１をバス２０に接続するインターフェースであり、バス２０を介してＣＰＵ部３１およびＨＤＤ５１それぞれとの通信を行うために用いられる。ＰＣＩバスインターフェース（ＰＣＩ−ＩＦ）２１７には、ＣＰＵ部３１がアクセス可能なレジスタ群が内蔵されておれ、ＴＶチューナ２１１およびＭＰＥＧ２エンコーダ２１５それぞれの動作は、ＣＰＵ部３１がレジスタ群にセットするコマンドに応じて制御される。
【００２６】
ＭＰＥＧ２デコーダ２１８は、ＭＰＥＧ２形式に圧縮符号化されたＴＶ放送番組データを復号する。例えば、ＨＤＤ５１に記録されている圧縮符号化されたＴＶ放送番組データをＴＶ受像機１０２で視聴する場合には、ＨＤＤ５１から読み出された圧縮符号化されたＴＶ放送番組データがＰＣＩバスインターフェース２１７を介してＭＰＥＧ２デコーダ２１８に送られ、そこで復号（伸張）される。ＲＡＭ２１９は、ＭＰＥＧ２デコーダ２１８が復号処理を行うための作業メモリとして用いられる。このＭＰＥＧ２デコーダ２１８の動作も、ＣＰＵ部３１がＰＣＩバスインターフェース２１７内のレジスタ群にセットするコマンドによって制御される。
【００２７】
ＭＰＥＧ２デコーダ２１８によって復号されたビデオデータはビデオ出力端子３０５を介してＴＶ受像機１０２などに送られ、またＭＰＥＧ２デコーダ２１８によって復号されたオーディオデータは、必要に応じてオーディオＤ／Ａコンバータ（オーディオＤＡＣ）２２０にてアナログ信号に変換された後に、オーディオ出力端子３０４から外部のオーディオ／ビデオ機器に出力される。
【００２８】
さらに、本実施形態においては、ＭＰＥＧ２デコーダ２１８によって復号処理されたＴＶ放送番組データをＭＰＥＧ２エンコーダ２１５に送信して、そこで再度圧縮符号化処理を行うことも出来る。これは、ＨＤＤ５１に記録されている圧縮符号化されたＴＶ放送番組データの伝送レート（ビットレート）を、無線送信用の特定の伝送レートに変換するダウンコンバート処理のために用いられる。
【００２９】
すなわち、ＨＤＤ５１に記録すべきＴＶ放送番組データの画質（低画質、標準画質、高画質）に応じて、ＭＰＥＧ２エンコーダ２１５による圧縮符号化処理で得られるＴＶ放送番組データの伝送レート（ビットレート）は異なる。高画質を選択した場合には、ＨＤＤ５１には非常に高い伝送レートで圧縮符号化されたＴＶ放送番組データが記録されることになる。この場合、無線通信の帯域では当該ＴＶ放送番組データをリアルタイム送信することが出来ない場合もある。このような場合には、無線送信すべきＴＶ放送番組データの伝送レートを無線送信用の特定の伝送レートに低下させるためのダウンコンバート処理が自動的に実行される。
【００３０】
ＣＰＵ部３１は、チューナ／ＭＰＥＧ部２１のＴＶチューナ２１１、ＭＰＥＧ２エンコーダ２１５、およびＭＰＥＧ２デコーダ２１８の制御を行うとともに、ＨＤＤ５１へのデータの書き込みおよびＨＤＤ５１からのデータ読み出しの制御を行う。また、ＣＰＵ部３１は、通信部４１との通信によって、パーソナルコンピュータ１０３〜１０５から送信されるＴＶ視聴に関するコマンドを受信したり、パーソナルコンピュータ１０３〜１０５に送信すべきＴＶ放送番組データを通信部４１に送信する。ＣＰＵ部３１は、ＣＰＵ３１１と、ＣＰＵ３１１のＣＰＵバスとＰＣＩバス２０とを接続するノースブリッジ３１２と、主メモリ３１３とから構成されている。
【００３１】
通信部４１は、それ単独で無線ＬＡＮルータとして動作可能な通信制御装置である。通信部４１は、パーソナルコンピュータ１０３，１０４に無線接続可能に構成されており、また有線ＬＡＮを介してパーソナルコンピュータ１０５にも接続されている。通信部４１は、パーソナルコンピュータ１０３〜１０５の各々から送信される要求に応じて、それらパーソナルコンピュータ１０３〜１０５それぞれをインターネット１２に接続してパーソナルコンピュータ１０３〜１０５それぞれとインターネット１２との間のデータの送受信を行う。この場合、パーソナルコンピュータ１０３〜１０５それぞれとインターネット１２との間のデータの送受信に関する処理は全て通信部４１内で行われ、ＣＰＵ部３１は使用されない。
【００３２】
通信部４１には、図示のように、制御プロセッサ４１１、ＲＡＭ４１２、ＲＯＭ４１３、ネットワークコントローラ４１４、ワイヤレスＬＡＮデバイス４１５、ＷＡＮコネクタ５０１、およびＬＡＮコネクタ５０２などが設けられている。
【００３３】
ＷＡＮコネクタ５０１はインターネット１２との間のデータの送受信に用いられるブロードバンド用端子であり、例えば、モデム等を介して通信回線１３に接続される。ＬＡＮコネクタ５０２は家庭内の有線ＬＡＮに接続される。
【００３４】
ネットワークコントローラ４１４は、ＷＡＮコネクタ５０１を介したインターネット１２との間のデータの送受信、およびＬＡＮコネクタ５０２を介した家庭内有線ＬＡＮとの間のデータの送受信、を制御するネットワーク制御デバイスである。ワイヤレスＬＡＮデバイス４１５は無線ＬＡＮを介してパーソナルコンピュータ１０３，１０４の各々との間のデータの送受信を行う無線通信デバイスであり、アンテナ４１６を介してパーソナルコンピュータ１０３，１０４の各々と無線通信する。ワイヤレスＬＡＮデバイス４１５としては、例えばＩＥＥＥ８０２．１１ｂまたはＩＥＥＥ８０２．１１ａ等の規格に対応したものが用いられる。
【００３５】
制御プロセッサ４１１は、ネットワークコントローラ４１４およびワイヤレスＬＡＮデバイス４１５を制御することにより、パーソナルコンピュータ１０３〜１０５それぞれとインターネット１２との間のデータの送受信を制御する。具体的には、制御プロセッサ４１１には通信部４１を無線ルータとして動作させるために必要な機能として、ＩＰマスカレード機能、ＮＡＴ機能、ＤＨＣＰ機能等が含まれている。さらに、制御プロセッサ４１１はＰＣＩバス２０にも接続されており、ワイヤレスＬＡＮデバイス４１５を介してパーソナルコンピュータ１０３，１０４から受信したＴＶ視聴に関する要求（コマンド）などをＰＣＩバス２０を介してＣＰＵ３１１に通知したり、ネットワークコントローラ４１４を介して有線ＬＡＮ上のパーソナルコンピュータ１０５から受信したＴＶ視聴に関する要求（コマンド）などをＰＣＩバス２０を介してＣＰＵ３１１に通知する機能を有している。
【００３６】
さらに、制御プロセッサ４１１は、ＰＣＩバス２０を介してＣＰＵ３１１から転送されるＴＶ放送番組データを受信した場合には、そのＴＶ放送番組データをワイヤレスＬＡＮデバイス４１５またはネットワークコントローラ４１４を介して要求元のパーソナルコンピュータに送信するための機能を有している。この場合、要求元のパーソナルコンピュータへのＴＶ放送番組データの送信処理は、そのパーソナルコンピュータとインターネット１２との間のデータの送受信と並行して行われる。
【００３７】
例えば、通信部４１と無線接続可能なパーソナルコンピュータ１０３がワイヤレスでインターネット閲覧を行っているときに、そのパーソナルコンピュータ１０３から要求されたＴＶ番組データをパーソナルコンピュータ１０３に無線で送信する場合においては、制御プロセッサ４１１は、インターネット１２上のＷＥＢサーバから受けたコンテンツデータと、チューナ／ＭＰＥＧ部２１によって圧縮符号化されたＴＶ放送番組データとが無線通信によって時分割でパーソナルコンピュータ１０３に送信されるように、ワイヤレスＬＡＮデバイス４１５を制御する。具体的には、制御プロセッサ４１１では、コンテンツデータと圧縮符号化されたＴＶ放送番組データとを多重化する処理が行われ、多重化されたコンテンツデータとＴＶ放送番組データとが無線通信によって時分割でパーソナルコンピュータ１０３に送信される。このように、コンテンツデータとＴＶ放送番組データとを互いに独立したデータとしてパーソナルコンピュータ１０３に送ることにより、パーソナルコンピュータ１０３では、それらコンテンツデータおよびＴＶ放送番組データをそれぞれ対応するアプリケーションプログラムを用いて同時に表示することができ、またコンテンツデータおよびＴＶ放送番組データそれぞれのウインドウの表示位置および表示サイズもそれぞれ対応するアプリケーションプログラムによって自由に変更することが出来る。
【００３８】
以上の制御プロセッサ４１１の機能はＲＯＭ４１３に格納されたファームウェアによって実現されている。
【００３９】
電源６１からの電源は、ＣＰＵ部３１に供給されるとともに、スイッチ７１を介してチューナ／ＭＰＥＧ部２１に供給され、スイッチ７２を介して通信部４１に供給されている。ＣＰＵ部３１のＣＰＵ３１１は、スイッチ７１及び７２を独立して制御することにより、チューナ／ＭＰＥＧ部２１及び通信部４１に供給される電源のオン／オフを制御する。
【００４０】
次に、本発明の実施の形態に係るルータ内蔵録画再生装置の動作について、説明する。
【００４１】
図３は、本発明の実施の形態に係るルータ内蔵録画再生装置の動作について説明するためのフロチャートである。
【００４２】
本実施の形態においては、スイッチ７２はオンであり、電源６１からの電源はＣＰＵ部３１に供給されるとともに、スイッチ７２を介して通信部４１に供給されており、他の端末との通信やルーティング処理を行なうことが可能である場合を想定する。なお、スイッチ７２は、ＣＰＵ３１１によって、オフにすることは可能である。
【００４３】
まず、外部の端末から通信部４１を介して、チューナ／ＭＰＥＧ部２１の使用を示すコマンドが受信されたか否かの判断が行なわれる（Ｓ１）。Ｓ１において、チューナ／ＭＰＥＧ部２１の使用を示すコマンドが受信されたと判断された場合には、ＣＰＵ３１１の制御により、スイッチ７１をオンにして、チューナ／ＭＰＥＧ部２１に電源を供給して、チューナ／ＭＰＥＧ部２１の使用を開始可能な状態にする。これにより、その後、映像データの再生指示などのコマンドに応じた処理がチューナ／ＭＰＥＧ部２１により実行される。
【００４４】
Ｓ１において、チューナ／ＭＰＥＧ部２１の使用を示すコマンドが受信されていないと判断された場合、或いはＳ２において、スイッチ７１をオンにした後には、次に、通信部４１の不使用コマンドを受信したか否かの判断が行なわれる（Ｓ３）。
【００４５】
Ｓ３において、通信部４１の不使用コマンドを受信したと判断された場合には、スイッチ７２をオフにする。これにより、電源６１が通信部４１に供給されなくなる。
【００４６】
Ｓ３において、通信部４１の不使用コマンドを受信していないと判断された場合、Ｓ４においてスイッチ７２をオフにした場合には、次に、チューナ／ＭＰＥＧ部２１の不使用コマンドを受信したか否かの判断が行なわれる（Ｓ５）。
【００４７】
Ｓ５において、チューナ／ＭＰＥＧ部２１の不使用コマンドを受信したと判断された場合には、スイッチ７１をオフにして、チューナ／ＭＰＥＧ部２１に供給される電源６１を遮断する。これにより、映像の再生及び録画を行なわない場合には、チューナ／ＭＰＥＧ部２１の電源のみを遮断することにより、省電力化を図ることができる。
【００４８】
Ｓ５において、チューナ／ＭＰＥＧ部２１の不使用コマンドを受信していないと判断された場合、或いはＳ６においてスイッチ７１をオフにした場合には、Ｓ１の処理に戻る。
【００４９】
したがって、本発明の実施の形態に係るルータ内蔵録画再生装置によれば、チューナ／ＭＰＥＧ部２１及び通信部４１に供給される電源を独立に制御することができるので、映像の録画再生を行なわない場合には、チューナ／ＭＰＥＧ部２１に供給される電源をオフにすることにより、省電力化を図ることができる。また、通信部４１に供給される電源は確保されるので、ルータ内蔵録画再生装置と他の端末との通信を維持することができ、その結果、外部から電源を制御することができる。
【００５０】
なお、上述の実施の形態においては、電源をオン・オフする場合について説明したが、チューナ／ＭＰＥＧ部２１及び通信部４１に供給されるクロックをそれぞれ制御することにより、省電力化を図ることができる。例えば、通信４１及びＣＰＵ部３１に供給されるクロック信号のみを常時オンにしておき、チューナ／ＭＰＥＧ部２１に供給されるクロック信号は、映像の記録再生を行なう場合にのみオンにして、映像の記録再生を行なわない場合にはオフにすることにより、省電力化を図ることができる。
【００５１】
なお、本願発明は、上記各実施形態に限定されるものでなく、実施段階ではその要旨を逸脱しない範囲で種々に変形することが可能である。
【００５２】
【発明の効果】
以上詳記したように、本発明によれば、電力消費を低減することができる録画再生装置を提供することができる。
【図面の簡単な説明】
【図１】本発明の一実施形態に係るルータ内蔵録画再生装置を用いたホームネットワークシステムを示す図である。
【図２】ワイヤレスＡＶステーション１０１の構成を説明するための図である。
【図３】本発明の実施の形態に係るルータ内蔵録画再生装置の動作について説明するためのフロチャートである。
【符号の説明】
２１…チューナ／ＭＰＥＧ部、
３１…ＣＰＵ部、
４１…通信部、
６１…電源、
７１，７２…スイッチ、
１０１…ワイヤレスＡＶステーション。
【図１】
2004064209.tif 000003
【図２】
2004064209.tif 000004
【図３】
2004064209.tif 000005